(57)【要約】【課題】チャンネルキーを押すチャンネル切り替えの自然な操作により、チューナ部の受信チャンネルを画面表示された視聴可能な各チャンネルの番組から選択した所望のチャンネルに切り替えて設定する。【解決手段】制御処理部６により、チューナ部２の受信チャンネルの連続切り替えの開始、終了を検出し、受信チャンネルの連続切り替え期間にチューナ部２の受信チャンネルの映像の小画面及びメモリ７の既受信チャンネルの映像の小画面を含むチャンネル選択用の多画面の映像信号を形成し、映像処理部３の出力映像信号をチューナ部２の受信チャンネルの映像信号から多画面の映像信号に切り替えて前記多画面を表示する。又、前記連続切り替え期間が終了した直後のチャンネル選択操作により、映像処理部３の出力映像信号を多画面の映像信号からチューナ部２の受信チャンネルの映像信号に戻して選択されたチャンネルの受信出力に設定する。【選択図】図１
2008167012.tif 000002
【特許請求の範囲】
【請求項１】
チャンネル切り替え操作の設定時間以下の間隔の繰り返しからチューナ部の受信チャンネルの連続切り替えの開始を検出し、該検出後、前記設定時間が経過しても次のチャンネル切り替えが発生しないことから前記連続切り替えの終了を検出するチャンネル切り替え操作検出部と、該チャンネル切り替え操作検出部の前記連続切り替えの開始の検出から終了の検出までの連続切り替え期間に、前記チューナ部の受信チャンネルの切り替え毎に切り替え直前の受信チャンネルの映像を記憶する受信履歴映像記憶部と、前記連続切り替えの開始の検出により、前記チューナ部の受信チャンネルの映像の小画面及び、前記受信履歴映像記憶部に記憶された既受信チャンネルの映像の小画面を含むチャンネル選択用の多画面の映像信号を形成し、前記チューナ部の後段の映像処理部の出力映像信号を前記チューナ部の受信チャンネルの映像信号から前記多画面の映像信号に切り替える多画面出力処理部と、前記連続切り替え期間の終了から設定されたチャンネル選択待機時間内のチャンネル選択により前記チューナ部の受信チャンネルを選択されたチャンネルに切り替え、前記チャンネル選択待機時間内のチャンネル選択の無検出により前記チューナ部の受信チャンネルを前記連続切り替え期間が終了したときのチャンネルに保持する選局制御部と、前記チャンネル選択待機時間内のチャンネル選択の検出、前記チャンネル選択待機時間の経過により、前記映像処理部の出力映像信号を前記多画面の映像信号から前記チューナ部の受信チャンネルの映像信号に戻す受信画面出力制御部とを備えたことを特徴とするテレビ受信装置。
【請求項２】
請求項１記載のテレビ受信装置において、前記チャンネル切り替え操作検出部は、チューナ部の受信チャンネルの連続切り替えの開始を、チャンネル切り替え操作の前記設定時間以下の間隔の繰り返しの設定回数の連続から検出することを特徴とするテレビ受信装置。
【請求項３】
請求項１又は２に記載のテレビ受信装置において、前記多画面出力処理部が形成するチャンネル選択用の多画面の映像信号は、前記チューナ部の現受信チャンネルの映像の小画面を画面中央に配置し、該画面中央の小画面の周囲に前記受信履歴映像記憶部に記憶された既受信チャンネルの映像の小画面を受信順に配置した映像信号であることを特徴とするテレビ受信装置。
【請求項４】
請求項１乃至３のいずれか１項に記載のテレビ受信装置において、前記多画面出力処理部が形成するチャンネル選択用の多画面の映像信号は、前記受信履歴映像記憶部に記憶された既受信チャンネルの小画面の増加により複数ページの映像信号になることを特徴とするテレビ受信装置。
【請求項５】
請求項１乃至４のいずれか１項に記載のテレビ受信装置において、前記多画面出力処理部が形成するチャンネル選択用の多画面の映像信号は、前記受信履歴映像記憶部に最初に記憶された前記連続切り替えの開始直前の既受信チャンネルの映像の小画面を特定画面として常時含むことを特徴とするテレビ受信装置。
【請求項６】
チャンネル切り替え操作の設定時間以下の間隔の繰り返しからチューナ部の受信チャンネルの連続切り替えの開始を検出し、該検出後、前記設定時間が経過しても次のチャンネル切り替えが発生しないときに前記連続切り替えの終了を検出し、前記連続切り替えの開始の検出により、前記チューナ部の後段の映像処理部の画面表示出力を、前記チューナ部の受信チャンネルの映像信号から、前記チューナ部の受信チャンネルの映像の小画面及び前記連続切り替えの開始から現在までの既受信チャンネルの映像の小画面を含むチャンネル選択用の多画面の映像信号に切り替え、前記連続切り替え期間の終了から設定されたチャンネル選択待機時間内にチャンネル選択操作が有るときは前記チューナ部の受信チャンネルを選択されたチャンネルに切り替え、前記チャンネル選択待機時間内にチャンネル選択操作が無いときは前記チューナ部の受信チャンネルを前記連続切り替え期間が終了したときのチャンネルに保持し、かつ、前記チャンネル選択待機時間内のチャンネル選択又は経過により、前記映像処理部の出力映像信号を前記多画面映像信号から前記チューナ部の受信チャンネルの映像信号に戻すことを特徴とするテレビ受信装置の選局制御処理方法。
【発明の詳細な説明】
【技術分野】
【０００１】
本発明は、選局操作によって選択されたチャンネルのテレビ放送を受信するテレビ受信装置及びその選局制御処理方法に関し、詳しくは、受信チャンネルの選択設定操作の向上に関する。
【背景技術】
【０００２】
従来、わが国のテレビ放送は勿論、各国のテレビ放送は、アナログ放送からデジタル放送（地上波デジタルやデジタル衛星放送）に移行しつつある。
【０００３】
ところで、これらのテレビ放送を受信するテレビ受信装置には、一般に、テレビジョン受信機のような画面表示装置を備えた独立タイプのものの他、前記画面表示装置は備えておらず、ＤＶＤレコーダ、ＨＤＤレコーダ等のビデオレコーダやＤＶＤプレーヤ等のビデオプレーヤ等に内蔵される内蔵タイプのものもある。
【０００４】
そして、これらのテレビ受信装置の受信チャンネルの選択設定は、視聴する番組が決まっているような場合はともかく、多くの場合、ユーザが手元のリモコン端末により、チャンネルキーをくり返し押してチャンネル切り替え操作を行い、その間に順次に受信して画面表示された視聴可能な各番組の内容等からユーザが選択する番組を決め、チューナ部の受信チャンネルをその番組のチャンネルに設定して行なわれる。
【０００５】
しかしながら、このような受信チャンネルの選択設定では、例えば米国のように視聴可能なアナログ放送及びデジタル放送のチャンネル数が極めて多い国や地域のテレビ受信装置にあっては、前記チャンネル切り替え操作の繰り返しが極めて多くなり操作が煩雑になるだけでなく、順次に受信して画面表示される各チャンネルの番組をユーザ自身が記憶してその中から選ぶことは困難であり、ユーザに不満感を与える。尚、わが国の場合も、デジタル放送（地上波デジタルやデジタル衛星放送）の実施によって視聴可能なチャンネル数が増大するため、同様の不都合がある。
【０００６】
そこで、テレビジョン受信機において、受信チャンネルを選択して設定する場合、自動選局モード（又は高速自動選局モード）に設定することで自動的にチューナ部の受信チャンネルを順次に切り替え、この順次の切り替えによって受信した各チャンネルの番組につき、表示位置を移動しつつ最新の受信チャンネルから一定数ずつ子画面（多画面）表示し、表示された各子画面の中からユーザが所望の番組（映像）を選択することで、チューナ部の受信チャンネルを選択した番組のチャンネルに切り替えて設定することが提案されている（例えば、特許文献１参照）。
【特許文献１】特開平１１−２３４５８８号公報（要約書、段落［００１８］−［００６１］、［００７６］−［００８１］、図１、図３、図４等）
【発明の開示】
【発明が解決しようとする課題】
【０００７】
前記特許文献１に記載のチャンネル切り替えの場合、自動選局モード（又は高速自動選局モード）に設定することでチューナ部の受信チャンネルが自動的に順次に切り替わるが、その前に自動選局モード（又は高速自動選局モード）を選択して設定する特別な操作を要し、リモコン端末のチャンネルキーを押すチャンネル切り替えの自然な操作では前記の自動選局モード（又は高速自動選局モード）にならず、しかも、前記自動選局モード（又は高速自動選局モード）で表示された所望番組の子画面を選択した後、チューナ部の受信チャンネルを選択した所望番組のチャンネルに切り替える指令の操作も必要になり、面倒であり、操作に不慣れなユーザ等には不便である。
【０００８】
本発明は、チャンネルキーを押すチャンネル切り替えの自然な操作により、チューナ部の受信チャンネルを画面表示された視聴可能な複数のチャンネルの番組から選択した所望の番組のチャンネルに切り替えて設定し得るようにすることを目的とし、更には、視聴可能な番組のチャンネル数が多いようなときにも画面表示からのチャンネル選択が容易に行なえるようにして利便性を向上することも目的とする。
【課題を解決するための手段】
【０００９】
上記した目的を達成するために、本発明のテレビ受信装置は、チャンネル切り替え操作の設定時間以下の間隔の繰り返しからチューナ部の受信チャンネルの連続切り替えの開始を検出し、該検出後、前記設定時間が経過しても次のチャンネル切り替えが発生しないことから前記連続切り替えの終了を検出するチャンネル切り替え操作検出部と、該チャンネル切り替え操作検出部の前記連続切り替えの開始の検出から終了の検出までの連続切り替え期間に、前記チューナ部の受信チャンネルの切り替え毎に切り替え直前の受信チャンネルの映像を記憶する受信履歴映像記憶部と、前記連続切り替えの開始の検出により、前記チューナ部の受信チャンネルの映像の小画面及び、前記受信履歴映像記憶部に記憶された既受信チャンネルの映像の小画面を含むチャンネル選択用の多画面の映像信号を形成し、前記チューナ部の後段の映像処理部の出力映像信号を前記チューナ部の受信チャンネルの映像信号から前記多画面の映像信号に切り替える多画面出力処理部と、前記連続切り替え期間の終了から設定されたチャンネル選択待機時間内のチャンネル選択により前記チューナ部の受信チャンネルを選択されたチャンネルに切り替え、前記チャンネル選択待機時間内のチャンネル選択の無検出により前記チューナ部の受信チャンネルを前記連続切り替え期間が終了したときのチャンネルに保持する選局制御部と、前記チャンネル選択待機時間内のチャンネル選択の検出、前記チャンネル選択待機時間の経過により、前記映像処理部の出力映像信号を前記多画面の映像信号から前記チューナ部の受信チャンネルの映像信号に戻す受信画面出力制御部とを備えたとを備えたことを特徴としている（請求項１）。
【００１０】
又、本発明のテレビ受信装置における前記チャンネル切り替え操作検出部は、チューナ部の受信チャンネルの連続切り替えの開始を、チャンネル切り替え操作の前記設定時間以下の間隔の繰り返しの設定回数の連続から検出することを特徴としている（請求項２）。
【００１１】
更に、本発明のテレビ受信装置における前記多画面出力処理部が形成するチャンネル選択用の多画面の映像信号は、前記チューナ部の受信チャンネルの映像の小画面を画面中央に配置し、該画面中央の小画面の周囲に前記受信履歴映像記憶部に記憶された既受信チャンネルの映像の小画面を受信順に配置した映像信号であることが好ましい（請求項３）。
【００１２】
又、本発明のテレビ受信装置において、前記多画面出力処理部が形成するチャンネル選択用の多画面の映像信号は、前記受信履歴映像記憶部に記憶された既受信チャンネルの小画面の増加により複数ページの映像信号になることも好ましい（請求項４）。
【００１３】
更に、本発明のテレビ受信装置の前記多画面出力処理部が形成するチャンネル選択用の多画面の映像信号は、前記受信履歴映像記憶部に最初に記憶された前記連続切り替えの開始直前の既受信チャンネルの映像の小画面を特定画面として常時含むことを特徴としている（請求項５）。
【００１４】
次に、本発明のテレビ受信装置の選局制御処理方法は、チャンネル切り替え操作の設定時間以下の間隔の繰り返しからチューナ部の受信チャンネルの連続切り替えの開始を検出し、該検出後、前記設定時間が経過しても次のチャンネル切り替えが発生しないときに前記連続切り替えの終了を検出し、前記連続切り替えの開始の検出により、前記チューナ部の後段の映像処理部の画面表示出力を、前記チューナ部の受信チャンネルの映像信号から、前記チューナ部の受信チャンネルの映像の小画面及び前記連続切り替えの開始から現在までの既受信チャンネルの映像の小画面を含むチャンネル選択用の多画面の映像信号に切り替え、前記連続切り替え期間の終了から設定されたチャンネル選択待機時間内にチャンネル選択操作が有るときは前記チューナ部の受信チャンネルを選択されたチャンネルに切り替え、前記チャンネル選択待機時間内にチャンネル選択操作が無いときは前記チューナ部の受信チャンネルを前記連続切り替え期間が終了したときのチャンネルに保持し、かつ、前記チャンネル選択待機時間内のチャンネル選択又は経過により、前記映像処理部の出力映像信号を前記多画面映像信号から前記チューナ部の受信チャンネルの映像信号に戻すことを特徴としている（請求項６）。
【発明の効果】
【００１５】
まず、請求項１、６の発明によれば、受信チャンネルを選択して設定するため、ユーザが短い間隔でチャンネル切り替え操作を繰り返すと、この受信チャンネルの連続的な切り替えの検出に基づいて、画面表示する映像信号を、チューナ部の現受信チャンネルの映像信号から、順次に切り替えられた今までの各受信チャンネルの小画面で構成されたチャンネル選択用の多画面の映像信号に切り替え、前記多画面を画面表示する。
【００１６】
そして、ユーザか連続したチャンネル切り替え操作を止め、設定時間が経過しても次のチャンネル切り替え操作が発生しなくなると、その直後のチャンネル選択待機時間内のチャンネル選択操作を所望番組のチャンネル選択として検出し、自動的にチューナ部の受信チャンネルを選択された番組のチャンネルに切り替えて設定し、受信チャンネルの選択設定を終了する。
【００１７】
従って、上述の自動選局モード（又は高速自動選局モード）の選択等の煩わしく面倒な操作を行なうことなく、リモコン端末等のチャンネル番号やチャンネルアップ／ダウンのボタンを押すチャンネル切り替えの自然で簡単な操作により、チューナ部の受信チャンネルを画面表示された試聴可能な各チャンネルの番組から選択した所望の番組のチャンネルに切り替えて設定することができ、受信チャンネルの選択設定操作が著しく向上する。
【００１８】
又、請求項２の発明によれば、短い間隔でのチャンネル切り替え操作の繰り返えしを、チャンネル切り替え操作の間隔と、繰り返しの回数との組合せから、正確に検出することができ、誤動作することがない。
【００１９】
更に、請求項３の発明によれば、チャンネル選択用の多画面の映像信号に基づいて表示される画面が、チューナ部の現受信チャンネルの映像の小画面を画面中央に配置し、該画面中央の小画面の周囲にそれ以前に受信した各受信チャンネルの映像の小画面を受信順に配置した見易く、チャンネル選択が容易な多画面になるため、チャンネルの選択が一層容易に行なえる。
【００２０】
又、請求項４の発明によれば、チューナ部の受信チャンネルの連続切り替えにより受信チャンネルが多くなると、チャンネル選択用の多画面の映像信号が自動的に複数ページの映像信号になり、受信チャンネルが多くなっても、各受信チャンネルの番組が各ページの多画面から見易く認識が容易であり、各チャンネルの選択が容易に行なえる。
【００２１】
又、請求項５の発明によれば、チャンネル選択用の多画面の映像信号が、チューナ部の受信チャンネルの連続切り替えの開始直前の映像の小画面が特定画面として必ず含まれるので、積極的に見たい番組が見つからなかった場合等には、視聴可能な番組のチャンネル数が多くても、画面表示された特定画面に基づいて容易にチューナ部の受信チャンネルを元のチャンネルに戻すことができ、一層便利である。
【発明を実施するための最良の形態】
【００２２】
次に、本発明をより詳細に説明するため、その一実施形態について、図１〜図７にしたがって詳述する。
【００２３】
図１は本発明のテレビジョン受信装置としてのテレビジョン受信機１の要部のブロック構成を示し、図２〜図５はテレビジョン受信機１の受信チャンネルの選択設定処理のフローチャートである。又、図６は初期設定時等の動作設定のメニュー画面を示し、図７はチャンネル設定用の多画面の表示例を示す。
【００２４】
（構成）
図１のテレビジョン受信機１は本体１ａとユーザの手元のリモコン端末（リモコン送信機）１ｂとで構成され、本体１ａにはテレビ放送を受信するチューナ部２、その後段の映像処理部３、該映像処理部３の出力段の信号合成部４、画面表示装置５及びマイクロコンピュータ構成の制御処理部６、メモリ７、リモコン受光部８等が設けられている。尚、図１においては、音声処理等は省略している。
【００２５】
そして、ブルーバックの背景にチャンネル選択用の多画面の表示を行なう本実施形態の場合、チューナ部２は１個の受信チューナ２ａで構成され、アンテナ受信又はケーブル入力のＲＦ信号を受信復調して受信チャンネルの復調出力を映像処理部３に供給する。
【００２６】
本発明の映像処理部３は周知の映像処理部と同様に構成され、通常はチューナ部２が受信復調したテレビ放送の受信映像のデコード出力にアナログ放送、デジタル放送それぞれの映像処理を施し、受信映像の映像信号を信号合成部４を介して画面表示装置５に供給し、受信映像の画面を画面表示装置５に表示する。尚、画面表示装置５は例えば液晶ディスプレイ、プラズマディスプレイ又はＣＲＴからなる。
【００２７】
マイクロコンピュータが形成する制御処理部６は、予め設定された受信処理、表示処理等の各種の制御処理プログラムを、ユーザの操作等に従って選択的に実行し、ソフトウエアによって形成された主制御部９、キー判別部１０、選局制御部１１、計時部１２、画面表示処理部１３等を備える。
【００２８】
メモリ７は制御処理部６に接続された書き換え自在のメモリであり、受信画像のデータ等を蓄積保持し、本発明の受信履歴映像記憶部を形成する。該受信履歴映像記憶部は主制御部９の後述のチャンネル切り替え操作検出部の制御により、チューナ部２の受信チャンネルの連続切り替えの開始の検出から終了の検出までの連続切り替え期間に、チューナ部２の受信チャンネルの切り替え毎に切り替え直前の受信チャンネルの映像（静止画）を記憶する。
【００２９】
リモコン受光部８はリモコン端末１ｂの赤外線の操作信号を受光し、前記操作信号を電気信号に変換して制御処理部６のキー判別部１０に出力し、キー判別部１０はリモコン受光部８の電気信号の操作コードを判別し、判別したコードの情報を主制御部９、選局制御部１１に送る。
【００３０】
主制御部９は本体部１ａの電源スイッチ等の各種の操作スイッチ（図示せず）のオン、オフや前記コードの情報、計時部１２の時刻情報等に基づき、受信選局や画面表示等の全体制御を実行し、本発明のチャンネル切り替え操作検出部、受信画面出力制御部等を形成する。
【００３１】
又、本発明の選局制御部１１はユーザの選局操作及びプログラム制御に基づきチューナ部２を動作制御し、受信チャンネルの選択設定時は、後述の連続切り替え期間Ｔｓｗの終了から設定されたチャンネル選択待機時間Ｔｗ内のチャンネル選択によりチューナ部２の受信チャンネルを選択されたチャンネルに切り替え、チャンネル選択待機時間Ｔｗ内のチャンネル選択の無検出によりチューナ部２の受信チャンネルを連続切り替え期間Ｔｓｗが終了したときのチャンネルに保持する。
【００３２】
画面表示処理部１３はユーザの表示モードの選択やプログラム制御に基づき映像処理部３の制御を通して画面表示装置５の映像の表示モード等を制御し、本発明の多画面出力処理部を形成する。この多画面出力処理部は前記チャンネル切り替え操作検出部によるチューナ部２の受信チャンネルの連続切り替えの開始の検出により、チューナ部２の現受信チャンネルの映像を圧縮した小画面及び、前記受信履歴映像記憶部としてのメモリ７に記憶された既受信チャンネルの映像を圧縮した小画面を含むチャンネル選択用の多画面の映像信号を形成し、画面表示装置５に供給される映像処理部３の出力映像信号をチューナ部２の受信チャンネルの映像信号から前記多画面の映像信号に切り替える。
【００３３】
次に、主制御部９が形成する前記チャンネル切り替え操作検出部は、基本的には、計時部１２の時間情報等に基づき、リモコン端末１ｂのチャンネルキー部Ｋの各チャンネルキー（以下、ＣＨキーという）の操作間隔を計時し、チャンネル切り替え操作の例えば数秒乃至数十秒程度の設定時間以下の間隔の繰り返しからチューナ部２の受信チャンネルを選択して設定する連続切り替えの開始を検出し、該検出後、前記設定時間が経過しても次のチャンネル切り替えが発生しないことから前記連続切り替えの終了を検出する。
【００３４】
そして、本実施形態の場合、動作設定に基づき、検出精度を高める場合には、チューナ部２の受信チャンネルの連続切り替えの開始を、チャンネル切り替え操作の前記設定時間以下の間隔の繰り返しの設定回数の連続から検出する。尚、前記連続切り替えの開始の検出から終了の検出までが連続切り替え期間Ｔｓｗである。
【００３５】
又、前記受信画面出力制御部はチャンネル選択待機時間Ｔｗ内のチャンネル選択の検出又は設定された数十秒乃至数分程度のチャンネル選択待機時間Ｔｗの経過により、映像処理部３の出力映像信号を前記多画面の映像信号からチューナ部２の受信チャンネルの映像信号に戻す。
【００３６】
ところで、画面表示処理部１３の前記多画面出力処理部が形成するチャンネル選択用の多画面の映像信号によって画面表示装置５に表示される多画面は、どのようであってもよいが、本実施形態の場合、前記チューナ部の現受信チャンネルの映像の小画面を画面中央に配置し、該画面中央の小画面の周囲に前記受信履歴映像記憶部に記憶された既受信チャンネルの映像の小画面を受信順に配置した映像信号である。
【００３７】
（動作）
次に、以上の構成に基づき、リモコン端末１ｂのＣＨキーの操作によってチューナ部２の受信チャンネルを選択して設定する場合のテレビジョン受信機１の選局制御を、図２〜図５を参照して説明する。
【００３８】
まず、ユーザはテレビジョン受信機１の初期設定時、画面表示装置５に表示された図６の動作設定のメニュー画面Ｐａにおいて、受信チャンネルの選択設定時に多画面表示をするか否か、すなわち、自動多画面モードに設定するか否かを、そのオン、オフの選択で設定する。又、メニュー画面Ｐａにおいて、チューナ部２の受信チャンネルの連続切り替えの開始を、チャンネル切り替えの間隔（時間）のみで検出するか、この間隔と回数（時間と回数）から検出するかの選択も行なう。
【００３９】
その後、ユーザがリモコン端末１ｂの何らかのキーを操作すると、主制御部１２が形成するチャンネル切り替え操作検出部が動作して図２のステップＳ１からステップＳ２に移行し、そのキー入力直前のチューナ部２の受信映像が画面表示処理部１３の制御によってメモリ７に受信履歴映像として記憶される。
【００４０】
このとき、操作されたキーがＣＨキーであれば、ステップＳ２からステップＳ３を介してステップＳ４に移行し、主制御部９は多画面表示フラグが設定されているか否かを判断する。
【００４１】
そして、最初は前記多画面表示フラグが設定されていないので、ステップＳ４からステップＳ５に移行し、主制御部９はチューナ部２の受信チャンネルの連続切り替えの開始を、チャンネル切り替えの間隔（時間）のみで検出する設定か、前記間隔と回数（時間と回数）から検出する設定かを判断する。
【００４２】
このとき、チャンネル切り替えの間隔（時間）のみで検出する設定であれば、ステップＳ６〜ステップＳ８が実行され、次のＣＨキーが設定時間内に入力されると、主制御部９は内部の多画面表示フラグをセットして受信チャンネルの連続切り替えの開始を検出し、ステップＳ８からステップＳ９を介してステップＳ１０の多画面表示処理に移行する。尚、次のＣＨキーが設定時間内に入力されなければ、ステップＳ８からステップＳ１１に移行してフラグ等を初期リセットし、メモリ７の記憶映像を消去等した後、ステップＳ１に戻る。
【００４３】
一方、チャンネル切り替えの間隔と回数（時間と回数）から検出する設定であれば、ステップＳ５からステップＳ１２を介してステップＳ１３に移行し、ステップＳ１３〜ステップＳ１６を実行し、ＣＨキーが設定時間間隔で設定回数連続して入力されるか否かを検出する。
【００４４】
そして、ＣＨキーが設定時間間隔で設定回数連続して入力されると、主制御部９は内部の多画面表示フラグをセット（オン）して受信チャンネルの連続切り替えの開始を検出し、ステップＳ１６からステップＳ９を介してステップＳ１０の多画面表示処理に移行する。尚、ＣＨキーが連続して入力されないときは、ステップＳ１５からステップＳ１７の初期リセットに移行してフラグ等を初期リセットし、メモリ７の記憶映像を消去した後、ステップＳ１に戻る。
【００４５】
次に、ステップＳ１０の多画面表受処理は図３のステップＳ１０１〜Ｓ１０３からなり、、これらのステップＳ１０１〜Ｓ１０３の実行によって受信画面出力制御部及び画面表示処理部１３の多画面出力処理部が動作する。
【００４６】
そして、ステップＳ１０１によりチューナ部２が受信中の最新のＣＨキーで指定されたチャンネルの受信画像の小画面（動画）の映像信号を形成し、ステップＳ１０２により、メモリ７に保持された受信チャンネルの連続切り替えの開始から今までのＣＨキーで指定されたチャンネルの受信画像の小画面（静止画）の映像信号を形成する。
【００４７】
そして、これらの小画面の集合によって画面表示装置５に受信チャンネル選択用の多画面を表示する。このとき、各小画面の大きさや表示配列等はどのようであってもよいが、本実施形態の場合、極力選択し易いようにするため、各小画面は実験等で設定された適当な大きさであり、又、その表示配列は、例えば図７に示すように、受信中の最新のＣＨキーで指定されたチャンネルの受信画像の小画面（動画）αを中央窓画面として配置し、その周囲に受信順に以前の各小画面βを周囲窓画面として図中の矢印線の順に新しいものから配置するマトリックス状の配列であり、この小画面α、βのマトリックス状の配列で受信チャンネル選択用の多画面ＰＰを形成する。
【００４８】
そして、ステップＳ１０３により、各小画面α、βを合成し、例えばブルーバックの背景画に受信チャンネル選択用の多画面ＰＰが重畳した映像信号を形成し、受信チャンネルの連続切り替えの検出期間中は、チューナ部２の受信映像の映像信号に代えて前記多画面ＰＰの映像信号を映像処理部３から画面表示装置５に供給し、多画面ＰＰを画面表示する。尚、ステップＳ１０３の処理を終了すると、図２のステップＳ１に戻る。
【００４９】
更に、受信チャンネルの連続切り替えの検出期間中は、多画面表示フラグがセットされてオンしているので、ＣＨキーの入力毎にステップＳ１からステップＳ２〜Ｓ４を介して図４のステップＳ１８に移行して設定時間内にＣＨキーが入力されたか否かを検出する。
【００５０】
そして、設定時間内にＣＨキーが入力される間は、ステップＳ１８からステップＳ１０に移行して多画面ＰＰを表示し続ける。このとき、小画面α、βは新たなＣＨキーの入力毎に１つずつずれて更新される。尚、各小画面α、βはチャンネル選択をアシストするため、画面の隅にそのチャンネルの番号「１００ＣＨ」、「１０２ＣＨ」、…が表示される。
【００５１】
一方、ユーザがＣＨキーを操作しなくなり、設定時間内にＣＨキーが入力されなくなると、ステップＳ１８からステップＳ１９に移行し、主制御部９が形成する前記チャンネル切り替え操作検出部は受信チャンネルの連続切り替えの終了を検出する。
【００５２】
その後、チャンネル選択待機期間Ｔｗ内に、ユーザが多画面ＰＰを見て所望の番組のＣＨキーを操作すると、ステップＳ１８からステップＳ１９を介してステップＳ２０に移行し、前記受信画面出力制御部が動作し、ステップＳ２１の初期リセットで多画面ＰＰの表示を終了し、ステップＳ２２により、チューナ部２の受信チャンネルをＣＨキーで選択されたチャンネルに切り替え、映像処理部３から画面表示装置５に供給する映像信号を、多画面ＰＰの映像信号からチューナ部２の受信チャンネルの映像信号に戻し、選択された所望チャンネルの受信選局状態に設定してその受信画面を表示する。
【００５３】
尚、前記チャンネル選択待機期間Ｔｗ内にＣＨキーが入力されないときは、ステップＳ１９からステップＳ２３の初期リセットを介してステップＳ２４に移行し、多画面ＰＰの表示を終了し、映像処理部３から画面表示装置５に供給する映像信号を、チューナ部２の現受信チャンネルの映像信号に戻す。
【００５４】
その後、ステップＳ２２又はステップＳ２４からステップＳ１に戻り、次の受信チャンネルの連続切り替えを待機する。
【００５５】
ところで、受信チャンネルの連続切り替えの検出期間が長くなると、メモリ７に記憶される受信チャンネルの映像が多くなり、１ページの多画面ＰＰでは今までの全てのチャンネルの表示が行えなくなる。
【００５６】
そこで、例えばチャンネルアップ／ダウンのキーが多画面ＰＰのページ切り替えのキーに設定され、ユーザが受信チャンネルの連続切り替えの検出期間中にチャンネルアップ／ダウンのキーを操作すると、図２のステップＳ２からステップＳ３を介してステップＳ２５に移行し、ステップＳ２５、Ｓ２６により多画面表示フラグがセットされた状態でのチャンネルアップ／ダウンのキー操作を認識して前記多画面出力処理部がステップＳ２７の多画面表示のページ送り処理を行なう。
【００５７】
この多画面表示のページ送り処理は図５のステップＳ２７１〜ステップＳ２７７からなり、ステップＳ２７１で中央の小画面αを形成した後、アップキーが操作されたときは、ステップＳ２７２の判断を介してステップＳ２７３、Ｓ２７４によって小画面α以降の操作の小画面βを形成し、形成した多画面ＰＰの映像信号を出力して画面表示する。このとき、小画面αが後述のダウンキーの操作で現受信チャンネルより前のチャネルになっていると、表示画面が１つずつ小画面α、βがずれた次のページの画面になる。尚、この場合、小画面αは静止画面になる。
【００５８】
一方、ステップＳ２７１で中央の小画面αを形成した後、ダウンキーが操作されたときは、ステップＳ２７２の判断を介してステップＳ２７６、Ｓ２７７によって小画面α以に前に受信した各小画面βを形成し、これらの小画面α、βで形成した多画面ＰＰの映像信号を出力して画面表示する。このとき、表示画面は１つずつ小画面α、βがずれた前のページの画面になる。尚、この場合も小画面αは静止画面になる。
【００５９】
従って、前記多画面出力処理部が形成するチャンネル選択用の多画面ＰＰの映像信号は、メモリ７に記憶された既受信チャンネルの小画面の増加により自動的に複数ページの映像信号になり、チャンネルアップ／ダウンキー操作によって、各ページが切り替えて表示される。そのため、受信チャンネルの連続切り替えの検出期間が長くなってメモリ７に記憶される受信チャンネルの映像が多くなっても、その間の各受信チャンネルの番組が選択し易いように表示される。
【００６０】
以上の構成であるため、本実施形態の場合、自動選局モード（又は高速自動選局モード）の選択等の煩わしく面倒な操作を行なうことなく、リモコン端末１ｂのＣＨキーを操作するチャンネル切り替えの自然で簡単な操作により、チューナ部２の受信チャンネルを画面表示された試聴可能な各チャンネルの番組から選択した所望の番組のチャンネルに切り替えて設定するこができ、受信チャンネルの選択設定操作が著しく向上する。
【００６１】
しかも、短い間隔でのチャンネル切り替え操作の繰り返えしの検出処理、すなわち、受信チャンネルの連続切り替えの検出処理を、チャンネル切り替え操作の間隔のみからの迅速な処理と、前記間隔と繰り返しの回数との組合せからの正確な検出の処理とに択一的に設定して行なうことができる。なお、本発明にあっては、両検出処理のいずれか一方を備えていればよい。
【００６２】
更に、多画面ＰＰが、基本的にはチューナ部２の現受信チャンネルの映像の小画面αを画面中央に配置し、該画面中央の小画面αの周囲にそれ以前に受信した各受信チャンネルの映像の小画面βを受信順に配置した見易く、チャンネル選択が容易な多画面になるため、チャンネルの選択が一層容易に行なえる。
【００６３】
その上、チューナ部２の受信チャンネルの連続切り替えにより受信チャンネルが多くなると、多画面ＰＰの映像信号が自動的に複数ページの映像信号になり、受信チャンネルが多くなっても、各受信チャンネルの番組が各ページの多画面から見易く認識が容易であり、各チャンネルの選択が容易に行なえる。
【００６４】
ところで、前記多画面出力処理部が形成する多画面ＰＰの映像信号を、メモリ７に最初に記憶された連続切り替えの開始直前の既受信チャンネルの映像の小画面を特定画面として画面の上部等に常時含む映像信号に形成しても良く、この場合は、チューナ部２の受信チャンネルの連続切り替えの開始直前の映像の小画面が特定画面として必ず多画面ＰＰに含まれるので、積極的に見たい番組が見つからなかった場合等には、視聴可能な番組のチャンネル数が多くても、画面表示された前記特定画面に基づいて容易にチューナ部２の受信チャンネルを元のチャンネルに戻すことができ、一層便利である。
【００６５】
そして、本発明は上述した実施形態に限定されるものではなく、その趣旨を逸脱しない範囲において上述したもの以外に種々の変更を行うことが可能であり、例えば、多画面ＰＰの形成手順や小画面α、βの配列、表示個数等が前記実施形態と異なっていてもよいのは勿論である。
【００６６】
又、チューナ部２に２個の受信チューナを設け、受信チャンネルの連続切り替えの間に、その開始直線の受信チャンネルの画像を空きの受信チャンネルで受信し続け、その画像の親画面に多画面ＰＰを挿入したＰｉｎＰ画面を表示するようにしてもよく、この場合は前記特定画面の表示は不要になる。
【００６７】
そして、本発明のテレビ受信装置は、テレビジョン受信機１のような独立タイプの装置及びＤＶＤレコーダ等の内蔵（組み込み）タイプの種々の装置であってよいのは勿論である。
【図面の簡単な説明】
【００６８】
【図１】本発明の第１の実施形態におけるテレビジョン受信機の要部の回路ブロック図である。
【図２】同上、テレビジョン受信機の受信チャンネルの選択設定処理の一部のフローチャートである。
【図３】同上、テレビジョン受信機の多画面表示処理の詳細なフローチャートである。
【図４】同上、テレビジョン受信機の受信チャンネルの選択設定処理の他の一部のフローチャートである。
【図５】同上、テレビジョン受信機のページ送り処理の詳細なフローチャートである。
【図６】同上、テレビジョン受信機のメニュー画面の一例の説明図である。
【図７】同上、テレビジョン受信機の多画面の説明図である。
【符号の説明】
【００６９】
２    チューナ部
２ａ    受信チューナ
３    映像処理部
６    制御処理部
７    メモリ
９    主制御部
１１    選局制御部
１３    画面表示処理部
ＰＰ    多画面
α、β    小画面
【図１】
2008167012.tif 000003
【図２】
2008167012.tif 000004
【図３】
2008167012.tif 000005
【図４】
2008167012.tif 000006
【図５】
2008167012.tif 000007
【図６】
2008167012.tif 000008
【図７】
2008167012.tif 000009